(57)【要約】【課題】顧客のスムーズな途中退席を可能とする。【解決手段】個別決済の宣言に応じ（ステップＳ４０５のＹ）、注文ファイルに含まれる未決済状態のメニューコードによって特定されるメニュー品目を一覧表示させる処理（ステップＳ４０６）と、このメニュー品目から任意のメニュー品目を選択する処理と（ステップＳ４０７）、選択されたメニュー品目の決済金額を算出し（ステップＳ４０９）、決済する処理（ステップＳ４１３）と、決済したメニュー品目についてメニューコードを決済済み状態にさせる処理（ステップＳ４１６）とを実行し、通常決済の宣言に応じ（ステップＳ４１８）、注文ファイルに含まれる未決済状態のメニューコードに対応する単価に基づく決済金額を算出して当該算出した決済金額での決済をする処理と、決済をしたメニュー品目について注文ファイルに含まれるメニューコードを決済済み状態にさせる処理と、を実行する。【選択図】図１１
2008287662.tif 000002
【特許請求の範囲】
【請求項１】
情報処理を実行する情報処理部と、
情報表示機能を有する表示部と、
情報入力機能を有する操作部と、
前記情報処理部が、前記操作部での操作により個別決済の宣言をする手段と、
前記情報処理部が、前記操作部での操作により通常決済の宣言をする手段と、
前記情報処理部が、前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行する手段と、
前記情報処理部が、前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行する手段と、
を備える商品販売データ処理装置。
【請求項２】
レシートを印字発行するレシートプリンタを備え、
前記情報処理部は、前記決済に際して、前記算出した決済金額を明記したレシートを前記レシートプリンタに印字発行させる、
請求項１記載の商品販売データ処理装置。
【請求項３】
情報表示機能を有する表示部と、
情報入力機能を有する操作部と、
前記操作部での操作により個別決済の宣言をし、前記操作部での操作により通常決済の宣言をし、前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行し、前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行する制御部と、
を備える商品販売データ処理装置。
【請求項４】
情報表示機能を有する表示部と、情報入力機能を有する操作部と、を備えるコンピュータにインストールされ、当該コンピュータに、
前記操作部での操作により個別決済の宣言をする機能と、
前記操作部での操作により通常決済の宣言をする機能と、
前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行する機能と、
前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行する機能と、
を実行させる商品販売データ処理用のコンピュータプログラム。
【発明の詳細な説明】
【技術分野】
【０００１】
本発明は、例えば、オーダエントリシステムが有するＰＯＳ端末等の商品販売データ処理装置及びコンピュータプログラムに関する。
【背景技術】
【０００２】
従来、ファミリーレストラン、居酒屋等の店舗には、オーダエントリシステムが導入されている（例えば、特許文献１参照）。オーダエントリシステムは、その基本機能として、ハンディターミナルから無線送信された注文データがオーダステーションに送信され、オーダステーションではオーダエントリ処理が実行されるように構成されている。オーダステーションは、オーダエントリ処理に付随して、例えばキッチンプリンタに注文伝票を印字発行すべき指令を発したり、商品販売データ処理装置であるＰＯＳ端末に注文データを送信したりする。
【０００３】
【特許文献１】特開２００５−１６５７５６公報
【発明の開示】
【発明が解決しようとする課題】
【０００４】
ＰＯＳ端末では、オーダステーションから送信された注文データに基づき会計処理が実行される。このような会計処理では、顧客が注文した全てのメニュー品目について決済が行われる。
【０００５】
したがって、複数人で来店した顧客の内の一人が途中退席するような場合にも、その顧客が自分で飲食したメニュー品目についてだけ会計を終えて帰るということができない。そのため、途中退席する顧客は、自分が飲食した分の代金を残りの顧客に預けたり、残りの顧客に頼み込んでそれまでに全員で飲食した全てのメニュー品目について一度会計を終えたりする必要がある。このように、途中退席する顧客は残りの顧客に配慮しなくてはならず、スムーズに途中退席することができない。
【０００６】
本発明の目的は、顧客のスムーズな途中退席を可能とすることである。
【課題を解決するための手段】
【０００７】
本発明の商品販売データ処理装置は、情報処理を実行する情報処理部と、情報表示機能を有する表示部と、情報入力機能を有する操作部と、を備え、前記情報処理部が、前記操作部での操作により個別決済の宣言をし、前記情報処理部が、前記操作部での操作により通常決済の宣言をし、前記情報処理部が、前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行し、前記情報処理部が、前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行するようにした。
【０００８】
別の面から見た本発明の商品販売データ処理装置は、情報表示機能を有する表示部と、情報入力機能を有する操作部と、前記操作部での操作により個別決済の宣言をし、前記操作部での操作により通常決済の宣言をし、前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行し、前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行する制御部と、を備える。
【０００９】
本発明の商品販売データ処理用のコンピュータプログラムは、情報表示機能を有する表示部と、情報入力機能を有する操作部と、を備えるコンピュータにインストールされ、当該コンピュータに、前記操作部での操作により個別決済の宣言をする機能と、前記操作部での操作により通常決済の宣言をする機能と、前記個別決済の宣言に応じて、顧客が注文したメニュー品目のメニューコードを記憶する注文ファイルに含まれる未決済状態のメニューコードによって特定されるメニュー品目を前記表示部に一覧表示させる処理と、前記一覧表示されているメニュー品目から前記操作部による操作に応じて任意のメニュー品目を選択する処理と、メニューコードと単価とが対応付けて記憶されているメニューデータファイルを参照して、前記選択されたメニュー品目のメニューコードに対応する単価に基づく決済金額を算出して当該決済金額での決済をする処理と、当該決済をしたメニュー品目について前記注文ファイルに含まれるメニューコードを決済済み状態にさせる処理と、を実行する機能と、前記通常決済の宣言に応じて、前記メニューデータファイルを参照して、前記注文ファイルに含まれる未決済状態のメニューコードに対応する単価に基づく決済金額を算出して当該算出した決済金額での決済をする処理と、当該決済をしたメニュー品目について前記注文ファイルに含まれるメニューコードを決済済み状態にさせる処理と、を実行する機能と、を実行させる。
【発明の効果】
【００１０】
本発明によれば、全てのメニュー品目から任意に選択されたメニュー品目について決済をした後に、決済が済んでいない残りのメニュー品目について別に決済をすることができる。そのため、複数人で来店した顧客の内の一人が途中退席するような場合にも、その顧客が自分で飲食したメニュー品目についてだけ会計を終えて帰ることができ、スムーズな途中退席が可能となる。
【発明を実施するための最良の形態】
【００１１】
本発明の実施の一形態を図１ないし図１３に基づいて説明する。
【００１２】
図１は、オーダエントリシステム１０１の全体構成を概略的に示すシステム構成図である。図１に示すように、オーダエントリシステム１０１は、接客係が各々携帯する複数のハンディターミナル１０２、キッチンに設置されるキッチンプリンタ１０３、チェックアウトカウンタに設置される商品販売データ処理装置としてのＰＯＳ端末１０４、ホールに設置されるカスタマチェックプリンタ１０５、そして店舗のバックヤード等に設置されオーダエントリシステム１０１全体を制御するサーバとしてのオーダステーション１０６等を備えている。
【００１３】
ハンディターミナル１０２は、ホールの天井等に設定された無線中継器１０７によってオーダステーション１０６との無線通信を可能とされ、また、キッチンプリンタ１０３、ＰＯＳ端末１０４、及びカスタマチェックプリンタ１０５は、ＬＡＮケーブル１０８を介してオーダステーション１０６と通信自在に接続されている。
【００１４】
ハンディターミナル１０２は、テーブルを特定するテーブルコードとメニュー品目を特定するメニューコード及びその数量との入力が可能であり、それらのテーブルコードにメニューコード及びその数量を対応付けた注文データを生成する。ハンディターミナル１０２が生成した注文データは、オーダステーション１０６に無線通信により送信され、オーダステーション１０６からキッチンプリンタ１０３、ＰＯＳ端末１０４、カスタマチェックプリンタ１０５へと送信される。キッチンプリンタ１０３及びカスタマチェックプリンタ１０５は、受信した注文データに応じた内容の伝票を印字発行する。キッチンプリンタ１０３が印字発行する伝票は、注文されたメニュー品目をキッチンの調理人に指示するための調理指示伝票である。カスタマチェックプリンタ１０５が印字発行する伝票は、注文された商品を給仕した後に来店客に渡す伝票である。これらのキッチンプリンタ１０３とカスタマチェックプリンタ１０５とは、同一の基本的構造を有している。ＰＯＳ端末１０４は、顧客との間での注文データに基づく会計処理を含む販売データ処理等を実行する。
【００１５】
ハンディターミナル１０２は、見開き可能な左扉体１０９と右扉体１１０とから構成され、左扉体１０９には、タッチパネル１１１付きのＬＣＤ１１２が設けられ、その下方にはテンキー１１３が設けられている。ＬＣＤ１１２は、表示部として機能し、ハンディターミナル１０２を使用する接客係に情報表示を提供する。右扉体１１０には、キーボード１１４が設けられている。キーボード１１４は、飲食物キーや確定キー等を含み、タッチパネル１１１と共に操作部を構成する。また、右扉体１１０には、右扉体１１０を貫通する覗き窓１１５が設けられており、ハンディターミナル１０２を閉じた状態でも、ＬＣＤ１１２に表示された情報を確認することができるように構成されている。
【００１６】
オーダステーション１０６にもＬＣＤ１１６及びキーボード１１７が備えられており、各ハンディターミナル１０２から無線送信された注文データの管理が可能となっている。
【００１７】
図２は、ＰＯＳ端末１０４をオペレータ側から示す斜視図である。図３は、ＰＯＳ端末１０４を客側から示す斜視図である。ＰＯＳ端末１０４は、ドロワ４２１の上に載置されている。ドロワ４２１は、硬貨及び紙幣を金種別に収納する引出し４２２を有する。
【００１８】
ＰＯＳ端末１０４は、各部をその内部又は外部に配置するハウジング１４１を備える。ハウジング１４１の上面には、キーボード１４２が設けられている。キーボード１４２の上方位置には、ＰＯＳ端末１０４のオペレータに対しての情報表示機能を有するオペレータ用表示器１４３が配置されている。オペレータ用表示器１４３の画面上には、タッチパネル１４４が設けられている。オペレータ用表示器１４３の左側には、プリンタカバー１４５が設けられている。プリンタカバー１４５の前面には、レシート発行口１４６が形成されている。プリンタカバー１４５の内部には、レシート用紙に対して印刷を行うレシートプリンタ１５１（図８参照）が設けられている。キーボード１４２の右側には、カードスリット１４７が形成されている。カードスリット１４７は、ハウジング１４１に内蔵されたカードリーダ１５２（図８参照）によるカード情報の読み取りのために使用される。そして、オペレータ用表示器１４３の背面側である客側には、買物客に対する情報表示機能を有する表示部としての客用表示器１４８が配置されている。客用表示器１４８の画面上には、タッチパネル１４９が設けられている。
【００１９】
図４は、キーボード１４２を示す模式図である。キーボード１４２は、上面に「０」「１」等の各種数字が表示されたテンキー１４２ａと、上面に「小計」と表示された仮締めキー１４２ｂと、上面に「預／現計」と表示された締めキー１４２ｃと、上面に「人数割勘」と表示された人数割勘キー１４２ｄと、上面に「個別割勘」と表示された個別割勘キー１４２ｅと、上面に「保留」と表示された保留キー１４２ｆと、を含む。キーボード１４２が有するこれらのキーが押下された場合にＰＯＳ端末１０４で実行される処理については、後述する（図１１参照）。
【００２０】
図５は、ハンディターミナル１０２の電気的接続を示すブロック図である。図５に示すように、ハンディターミナル１０２には、制御部２０１が備えられており、この制御部２０１が各部を駆動制御する。制御部２０１は、各部を集中的に制御するＣＰＵ２０２に、バスライン２０３を介して制御プログラム等の固定的情報を予め記憶するＲＯＭ２０４と、各種情報を書き換え自在に記憶してワークエリア等として機能するＲＡＭ２０５とが接続されて構成されている。したがって、制御部２０１は、情報処理を実行する情報処理部を構成する。
【００２１】
制御部２０１には、バスライン２０３を介して、タッチパネルコントローラ２０６、表示コントローラ２０７、キーボードコントローラ２０８、及び無線通信インターフェース２０９が接続されている。タッチパネルコントローラ２０６は、タッチパネル１１１からの入力信号を制御部２０１に取り込む。表示コントローラ２０７は、画像データに基づいてＬＣＤ１１２を駆動制御し、画像データに応じた画像をＬＣＤ１１２に表示させる。キーボードコントローラ２０８は、テンキー１１３及びキーボード１１４からの入力信号を制御部２０１に取り込む。無線通信インターフェース２０９は、無線部２１０を駆動制御する。無線部２１０は、アンテナ２１１を介して無線中継器１０７との間で無線通信を実行する。ハンディターミナル１０２に入力された注文データ等の各種情報は、無線部２１０から無線中継器１０７に送信される。この場合、注文データは宛先をオーダステーション１０６としている。そこで、入力された情報が注文データである場合には、注文データはオーダステーション１０６に向けて無線送信されることになる。ここに、キーボード１１４等の操作部の操作によって注文データを入力する手段の機能と、入力された注文データをオーダステーション１０６に向けて無線送信する手段とが実行される。
【００２２】
図６は、オーダステーション１０６の電気的接続を示すブロック図である。図６に示すように、オーダステーション１０６には、制御部３０１が備えられており、この制御部３０１が各部を駆動制御する。制御部３０１は、各部を集中的に制御するＣＰＵ３０２に、バスライン３０３を介して制御プログラム等の固定的情報を予め記憶するＲＯＭ３０４と、各種情報を書き換え自在に記憶してワークエリア等として機能するＲＡＭ３０５とが接続されて構成されている。したがって、制御部３０１は、情報処理を実行する情報処理部を構成する。
【００２３】
制御部３０１には、バスライン３０３を介して、表示／キーボードコントローラ３０６とＨＤＤ３０７と通信インターフェース３０８とが接続されている。表示／キーボードコントローラ３０６は、画像データに基づいてＬＣＤ１１６を駆動制御し、画像データに応じた画像をＬＣＤ１１６に表示させ、また、キーボード１１７からの入力信号を制御部３０１に取り込む。通信インターフェース３０８は、ＬＡＮケーブル１０８を介して他の機器、つまり、キッチンプリンタ１０３、ＰＯＳ端末１０４、カスタマチェックプリンタ１０５、及び無線中継器１０７との間でのデータ通信を可能とする。
【００２４】
図７は、オーダステーション１０６が記憶する注文ファイルのデータ構造の一例を示す模式図である。オーダステーション１０６は、ハンディターミナル１０２から注文データを受信すると、これを注文ファイル３５１に登録する。注文ファイル３５１は、テーブルコード３５１ａにリンクコード３５１ｂを対応付けて記憶可能なデータ構造を基本として備えている（図７（ａ）参照）。そして、リンクコード３５１ｂに対応するリンクコード３５１ｃで管理される領域に、ハンディターミナル１０２から受信した注文データに含まれているメニューコード３５１ｅ及びその数量３５１ｆを登録可能なデータ構造を有している（図７（ｂ）参照）。
【００２５】
注文ファイル３５１に記憶されているメニューコード３５１ｅによって特定されるメニュー品目は決済が済んでいないものである。決済が済んだメニュー品目については、後述するように、オーダステーション１０６の制御部３０１がメニューコード３５１ｅ等のデータをクリアする。つまり、注文ファイル３５１に含まれるメニューコード３５１ｅは未決済状態であり、オーダステーション１０６の制御部３０１によるデータクリアによって決済済み状態にされる。
【００２６】
図８は、ＰＯＳ端末１０４の電気的接続を示すブロック図である。図８に示すように、ＰＯＳ端末１０４には、制御部４０１が備えられており、この制御部４０１が各部を駆動制御する。制御部４０１は、各部を集中的に制御するＣＰＵ４０２に、バスライン４０３を介して制御プログラム等の固定的情報を予め記憶するＲＯＭ４０４と、各種情報を書き換え自在に記憶してワークエリア等として機能するＲＡＭ４０５とが接続されて構成されている。したがって、制御部４０１は、情報処理を実行する情報処理部を構成する。
【００２７】
ＰＯＳ端末１０４の制御部４０１には、バスライン４０３を介して、表示コントローラ４０６、入力コントローラ４０７、プリンタコントローラ４０８、カードリーダコントローラ４１６及び通信インターフェース４０９が接続されている。表示コントローラ４０６は、画像データに基づいてオペレータ用表示器１４３又は客用表示器１４８を駆動制御し、画像データに応じた画像をオペレータ用表示器１４３又は客用表示器１４８に表示させる。入力コントローラ４０７は、キーボード１４２、タッチパネル１４４、又はタッチパネル１４９からの入力信号を制御部４０１に取り込む。プリンタコントローラ４０８は、印字データに基づいてレシートプリンタ１５１を駆動制御し、印字データに応じたレシートをレシートプリンタ１５１に発行させる。カードリーダコントローラ４１６は、カードリーダ１５２が読み取ったカード情報を制御部４０１に取り込む。通信インターフェース４０９は、ＬＡＮケーブル１０８を介してオーダステーション１０６との間でのデータ通信を可能とする。
【００２８】
ＰＯＳ端末１０４の制御部４０１には、バスライン４０３を介してＩ／Ｏ４１０が接続されている。Ｉ／Ｏ４１０は、ドロワ４２１の図示しないソレノイドに対して駆動信号を出力する。
【００２９】
更に、ＰＯＳ端末１０４の制御部４０１には、バスライン４０３を介してＨＤＤ４１１も接続されている。ＰＯＳ端末１０４は、ＨＤＤ４１１に各種のデータファイルを記憶保存している。例えば、オペレーティングシステム４１２、商品販売データ処理用のプログラム４１３、このプログラム４１３に含まれているメニューデータファイル４１４等がＨＤＤ４１１に記憶保存されている。メニューデータファイル４１４は、メニューコードにメニュー品目名と価格とを対応付けて設定記憶するファイルである。オペレーティングシステム４１２、プログラム４１３、メニューデータファイル４１４の全部又は一部は、ＰＯＳ端末１０４の起動時にＲＡＭ４０５にコピーされる。ＰＯＳ端末１０４の制御部４０１は、オペレーティングシステム４１２及びプログラム４１３に従い各種の処理を実行する。
【００３０】
図９は、ハンディターミナル１０２が実行するオーダエントリ処理の一例を示すフローチャートである。接客係は、顧客を案内したテーブルに赴き、顧客から注文を取る。この際、接客係は、ハンディターミナル１０２にテーブル番号を入力する。つまり、ハンディターミナル１０２は、タッチパネル１１１又はテンキー１１３によってテーブル番号と顧客の注文とを制御部２０１に入力することができる。そこで、ハンディターミナル１０２の制御部２０１は、テーブル番号を特定するテーブルコードの入力に待機しており（ステップＳ２０１）、テーブルコードの入力を判定すると（ステップＳ２０１のＹ）、メニュー品目を特定するメニューコードの入力に待機する（ステップＳ２０２）。ハンディターミナル１０２の制御部２０１は、メニューコードの入力を判定すると（ステップＳ２０２のＹ）、エントリー指定の有無判定を実行する（ステップＳ２０３）。エントリー指定は、タッチパネル１１１又はテンキー１１３の操作によってなされ、顧客からの注文をオーダエントリシステム１０１にエントリーすることを意味している。この際、ハンディターミナル１０２には、エントリー指定を実行するまで何度でもメニューコードを入力することができる。
【００３１】
ハンディターミナル１０２の制御部２０１は、エントリー指定を判定すると（ステップＳ２０３のＹ）、注文データを生成して無線送信する（ステップＳ２０４）。つまり、注文データは、入力されたテーブルコードに入力された全てのメニューコードを付加して送信先をオーダステーション１０６に指定する伝文である。このような注文データの無線送信は、無線部２１０によって実行する。
【００３２】
ハンディターミナル１０２から無線送信された注文データは、無線中継器１０７によって受信される。無線中継器１０７は、注文データをＬＡＮケーブル１０８に送信出力する。すると、注文データに含まれている送信先であるオーダステーション１０６が注文データを受信する。
【００３３】
図１０は、オーダステーション１０６が実行するオーダエントリ処理の一例を示すフローチャートである。オーダステーション１０６の制御部３０１は、注文データの受信判定及び注文ファイル送信要求の受信判定に待機している（ステップＳ３０１、ステップＳ３０６）。注文ファイル送信要求は、ＬＡＮケーブル１０８を介してＰＯＳ端末１０４から送信される。これについては後述する。
【００３４】
オーダステーション１０６の制御部３０１は、注文データの受信を判定すると（ステップＳ３０１のＹ）、ある顧客について最初になされた注文についての注文データであるのかどうかを判定する（ステップＳ３０２）。この判定は、図７に示す注文ファイル３５１中、テーブルコード３５１ａにリンクコード３５１ｂが登録されているかどうかをもってなされる。リンクコード３５１ｂが登録されていなければ、最初になされた注文であると判定する（ステップＳ３０２のＹ）。
【００３５】
オーダステーション１０６の制御部３０１は、ステップＳ３０２で最初になされた注文であると判定した場合（ステップＳ３０２のＹ）、注文ファイル３５１を生成する。注文ファイル３５１は、注文データに含まれているテーブルコードと一致するテーブルコード３５１ａのレコードとして、所定のリンクコードをリンクコード３５１ｂとリンクコード３５１ｃとに登録する（図７（ａ）、図７（ｂ）参照）。この場合に登録されるリンクコードは、テーブルコード３５１ａに対応するテーブルの伝票番号となる。そして、リンクコード３５１ｃによって管理される領域であるメニューコード３５１ｅ及びその対応数量３５１ｆに、注文データに含まれているメニューコード及びその数量を登録する。これにより、オーダステーション１０６の制御部３０１は、テーブルコード３５１ａで特定されるテーブルの顧客が、メニューコード３５１ｅで特定されるメニュー品目を何品（数量３５１ｆで特定）注文したのかを管理することができる。
【００３６】
その後、オーダステーション１０６の制御部３０１は、ＬＡＮケーブル１０８を介して、ステップＳ３０３で生成した注文ファイル３５１を伝文形式にして、キッチンプリンタ１０３に送信する（ステップＳ３０４）。キッチンプリンタ１０３は、オーダステーション１０６から送信された注文ファイル３５１の伝文を受信すると、伝票を印字発行する。この場合の伝票は、注文されたメニュー品目をキッチンの調理人に指示するための調理指示伝票であり、注文されたメニュー品目及び伝票番号を含んでいる。伝票番号は、前述したように、注文ファイル３５１のリンクコード３５１ｂ及びリンクコード３５１ｃに登録されたリンクコードである。
【００３７】
オーダステーション１０６の制御部３０１が、ステップＳ３０３で注文ファイル３５１を生成した後に受信判定した注文データについては、注文ファイル３５１に対する追加登録処理が実行される（ステップＳ３０５）。つまり、オーダステーション１０６の制御部３０１は、注文データの受信を判定した後（ステップＳ３０１のＹ）、受信判定した注文データが最初になされた注文ではないと判定すると（ステップＳ３０２のＮ）、注文ファイル３５１に対する当該注文データの追加登録処理を実行する（ステップＳ３０５）。そして、注文ファイル３５１中、追加登録した注文データの部分のみを伝文形式にして、キッチンプリンタ１０３に送信する（ステップＳ３０４）。
【００３８】
カスタマチェックプリンタ１０５は、テーブルコード３５１ａで管理されるテーブル毎に、注文されたメニュー品目が全て調理された場合に、顧客に渡す伝票を印字発行することができる。この伝票には、伝票番号、つまり図７に示す注文ファイル３５１に記録されているリンクコード３５１ｂ、３５１ｃと同一番号の伝票番号が印字されている。このような伝票の印字発行処理については、従来システムと変わる点がないので、その説明は省略する。
【００３９】
図１１は、ＰＯＳ端末１０４が実行する会計処理の一例を示すフローチャートである。会計を望む顧客は、チェックアウトカウンタに赴き、接客係から渡された伝票をオペレータであるキャッシャに手渡す。キャッシャは、キーボード１４２のテンキー１４２ａによって、顧客から渡された伝票に印字されている伝票番号を手入力する。ＰＯＳ端末１０４の制御部４０１は、伝票番号の入力に待機しているので（ステップＳ４０１）、テンキー１４２ａによって伝票番号が入力されると（ステップＳ４０１のＹ）、入力された伝票番号が含まれている注文ファイル送信要求をオーダステーション１０６に送信する（ステップＳ４０２）。注文ファイル送信要求は、ＬＡＮケーブル１０８を介してオーダステーション１０６に送信される。
【００４０】
図１０に基づいて前述したように、オーダステーション１０６の制御部３０１は、注文データの受信判定及び注文ファイル送信要求の受信判定に待機している（ステップＳ３０１、ステップＳ３０６）。そこで、オーダステーション１０６の制御部３０１は、注文ファイル送信要求を受信すると（図１０のステップＳ３０６のＹ）、ＬＡＮケーブル１０８を介して、図７に例示する注文ファイル３５１をＰＯＳ端末１０４に送信する（ステップＳ３０７）。この際に送信する注文ファイル３５１は、受信した注文ファイル送信要求に含まれている伝票番号によって特定されるコードと同一のリンクコード３５１ｃに対応付けられている注文ファイル３５１のデータである。この注文ファイル３５１のデータには、メニューコード３５１ｅが含まれている。
【００４１】
図１１のフローチャートの説明に戻る。ＰＯＳ端末１０４の制御部４０１は、注文ファイル送信要求をオーダステーション１０６に送信した後（ステップＳ４０２）、注文ファイル３５１の受信判定に待機している（ステップＳ４０３）。ＰＯＳ端末１０４の制御部４０１は、注文ファイル３５１を受信したと判定したならば（ステップＳ４０３のＹ）、受信した注文ファイル３５１のデータをＲＡＭ４０５に一時記憶させる（ステップＳ４０４）。
【００４２】
次に、ＰＯＳ端末１０４の制御部４０１は、個別割勘キー１４２ｅの押下判定及び人数割勘キー１４２ｄの押下判定に待機する（ステップＳ４０５、ステップＳ４１８）。
【００４３】
まず、個別割勘キー１４２ｅと人数割勘キー１４２ｄとが共に押下されない場合について説明する。個別割勘キー１４２ｅの押下がなされず（ステップＳ４０５のＮ）、さらに、人数割勘キー１４２ｄの押下もなされなければ（ステップＳ４１８のＮ）、ＰＯＳ端末１０４の制御部４０１は、通常の決済を行う（ステップＳ４２１）。ここに、ＰＯＳ端末１０４の制御部４０１が、操作部であるキーボード１４２での操作により通常決済の宣言をする手段が実現される。このような宣言に応じて、ステップＳ４２１では、ＲＡＭ４０５に一時記憶した注文ファイル３５１のデータに基づいて、合計金額等を算出して決済金額を算出する。合計金額は、メニューデータファイル４１４を検索して注文ファイル３５１に含まれる全てのメニューコード３５１ｅのメニュー品目の単価を求めることによってなされる。その後、ＰＯＳ端末１０４の制御部４０１は、入力された預り金額と決済金額との差から釣銭金額を算出する。そして、レシートプリンタ１５１を駆動制御することによるレシートの発行、ドロワ４２１を駆動制御することによる引出し４２２の開放、売上登録処理等を実行する。そして、ＰＯＳ端末１０４の制御部４０１は、ステップＳ４０３で受信した注文ファイル３５１に含まれるメニューコードによって特定されるメニュー品目の全ての決済が済んだ旨の通知を、ＬＡＮケーブル１０８を介して、オーダステーション１０６に送信して（ステップＳ４２２）、処理を終える。通知を受信したオーダステーション１０６の制御部３０１は、対応する注文ファイル３５１について注文データをクリアする。
【００４４】
次に、個別割勘キー１４２ｅが押下されずに人数割勘キー１４２ｄが押下された場合について説明する。個別割勘キー１４２ｅの押下がなされないで（ステップＳ４０５のＮ）、人数割勘キー１４２ｄが押下された場合には（ステップＳ４１８のＹ）、ＰＯＳ端末１０４の制御部４０１は、人数割勘による決済を行う（ステップＳ４１９）。ここでも、ＰＯＳ端末１０４の制御部４０１が、操作部であるキーボード１４２での操作により通常決済の宣言をする手段が実現される。つまり、本実施の形態では、人数割勘による決済は、通常決済の一態様である。そして、このような宣言に応じて、ステップＳ４１９では、ＲＡＭ４０５に一時記憶した注文ファイル３５１のデータに基づいて、合計金額等を算出して決済金額を算出する。合計金額は、メニューデータファイル４１４を検索して注文ファイル３５１に含まれる全てのメニューコード３５１ｅのメニュー品目の単価を求めることによってなされる。次に、ＰＯＳ端末１０４の制御部４０１は、テンキー１４２ａの押下により入力された顧客人数で決済金額を割ることにより顧客人数に基づく割勘金額を算出する。割勘金額は客用表示器１４８に表示される。ここで、各顧客は、客用表示器１４８に表示された割勘金額に相当する金銭をキャッシャに支払う。キャッシャは、各顧客から支払われた金銭の額を預り金額としてテンキー１４２ａを操作してＰＯＳ端末１０４に入力する。その後、ＰＯＳ端末１０４の制御部４０１は、入力された預り金額と決済金額との差から釣銭金額を算出する。そして、レシートプリンタ１５１を駆動制御することによるレシートの発行、ドロワ４２１を駆動制御することによる引出し４２２の開放、売上登録処理等を実行する。そして、ＰＯＳ端末１０４の制御部４０１は、ステップＳ４０３で受信した注文ファイル３５１に含まれるメニューコードによって特定されるメニュー品目の全ての決済が済んだ旨の通知を、ＬＡＮケーブル１０８を介して、オーダステーション１０６に送信して（ステップＳ４２０）、処理を終える。通知を受信したオーダステーション１０６の制御部３０１は、対応する注文ファイル３５１について注文データをクリアする。
【００４５】
次に、個別割勘キー１４２ｅが押下された場合について説明する。複数人で来店した顧客の内の一人が途中退席する場合、その顧客はチェックアウトカウンタでキャッシャに対して、自分が飲食した分についてのみの会計をする旨を告げる。その旨が告げられたキャッシャは、個別割勘キー１４２ｅを押下する。ここに、ＰＯＳ端末１０４の制御部４０１が、操作部であるキーボード１４２での操作により個別決済の宣言をする手段が実現される。個別割勘キー１４２ｅが押下されて個別決済の宣言がなされると（ステップＳ４０５のＹ）、ＰＯＳ端末１０４の制御部４０１は、注文ファイル３５１に含まれるメニューコードによって特定されるメニュー品目を客用表示器１４８に一覧表示させる（ステップＳ４０６）。ステップＳ４０６でのメニュー品目の一覧表示は、ＰＯＳ端末１０４の制御部４０１が、メニューデータファイル４１４を検索して、注文ファイル３５１に含まれるメニューコードに対応するメニュー品目名及び単価を取得し、取得したメニュー品目名及び単価を客用表示器１４８に一覧表示させることによってなされる。
【００４６】
図１２は、メニュー品目が一覧表示された状態の客用表示器１４８の画面例を示す模式図である。客用表示器１４８の画面１６１には、複数のメニュー品目１６４が一覧表示されている。図１２の画面例では、６つのメニュー品目１６４が縦に３つ、横に２つ配列して表示されている。メニュー品目１６４は、枠内にメニュー品目名と単価とを含む。画面１６１の右端に表示されているスクロールボタン１６３が表示されている領域に対応するタッチパネル１４９をタッチ操作することにより、画面１６１に表示されていないメニュー品目１６４を画面１６１内に表示させることが可能である。メニュー品目１６４とスクロールボタン１６３とが表示されている領域の上段部分の画面１６１には、「ご飲食されたメニューをタッチして下さい」という文字列と共に「ＯＫ」と表示されたボタン１６２が表示されている。顧客は、この文字列を見ることにより、又はＰＯＳ端末１０４を操作するキャッシャに促されることにより、任意のメニュー品目１６４が表示されている領域に対応するタッチパネル１４９をタッチ操作する。タッチ操作されたメニュー品目１６４は、その色等が変更されるようにしてもよい。メニュー品目１６４のタッチ操作の後、顧客は「ＯＫ」と表示されているボタン１６２が表示されている領域に対応するタッチパネル１４９をタッチ操作する。
【００４７】
図１１のフローチャートの説明に戻る。ＰＯＳ端末１０４の制御部４０１は、客用表示器１４８に一覧表示されているメニュー品目１６４から任意のメニュー品目１６４を選択する（ステップＳ４０７）。ステップＳ４０７でのメニュー品目の選択は、顧客によってボタン１６２がタッチ操作されるまでに選択されたメニュー品目をＰＯＳ端末１０４の制御部４０１が選択することによってなされる。
【００４８】
次に、ＰＯＳ端末１０４の制御部４０１は、仮締め操作判定に待機する（ステップＳ４０８）。仮締め操作は、ＰＯＳ端末１０４の仮締めキー１４２ｂの押下によってなされる。キャッシャによって仮締めキー１４２ｂが押下されたならば（ステップＳ４０８のＹ）、ＰＯＳ端末１０４の制御部４０１は、選択されたメニュー品目１６４についての決済金額を算出する（ステップＳ４０９）。決済金額の算出は、選択されたメニュー品目１６４についての単価の合計金額、消費税の算出等を含む。合計金額は、選択されたメニュー品目１６４について、メニューデータファイル４１４を参照して、注文ファイル３５１に含まれるメニューコード３５１ｅに対応する単価を合計して算出する。その後、ＰＯＳ端末１０４の制御部４０１は、算出した決済金額を客用表示器１４８に表示する（ステップＳ４１０）。
【００４９】
図１３は、決済金額が表示された状態の客用表示器１４８の画面例を示す模式図である。客用表示器１４８の画面１６１の左側には、図１１のフローチャートのステップＳ４０７で選択されたメニュー品目についてのメニュー品目名と単価とが併せて表示されている。これにより、顧客は、タッチ操作して自ら選択したメニュー品目を確認することができる。また、客用表示器１４８の画面１６１の右側には、図１１のフローチャートのステップＳ４０９で算出された決済金額が表示されている。これにより、途中退席する顧客は、自分で飲食した分について支払うべき金額を知ることができる。そして、顧客は支払うべき金額以上の金銭をキャッシャに預ける。
【００５０】
図１１のフローチャートの説明に戻る。キャッシャは顧客から預った金銭の額である預り金額をＰＯＳ端末１０４のテンキー１４２ａの押下により入力する。預り金額はＰＯＳ端末１０４の制御部４０１に入力される（ステップＳ４１１）。次に、ＰＯＳ端末１０４の制御部４０１は、締め操作判定に待機する（ステップＳ４１２）。締め操作は、ＰＯＳ端末１０４の締めキー１４２ｃの押下によってなされる。キャッシャによって締めキー１４２ｃが押下されたならば（ステップＳ４１２のＹ）、ＰＯＳ端末１０４の制御部４０１は、ステップＳ４０９で算出した決済金額での決済をする（ステップＳ４１３）。ステップＳ４１３の決済では、ＰＯＳ端末１０４の制御部４０１は、入力された預り金額と決済金額との差から釣銭金額を算出する。そして、レシートプリンタ１５１を駆動制御することによるレシートの発行、ドロワ４２１を駆動制御することによる引出し４２２の開放、売上登録処理等を実行する。
【００５１】
ステップＳ４１３でのレシート発行に際しては、ＰＯＳ端末１０４の制御部４０１は、ステップＳ４０７で選択されたメニュー品目１６４についての決済情報のみをレシートプリンタ１５１に印字させて発行させる。つまり、発行されるレシートには、注文ファイル３５１に含まれる全てのメニューコードによって特定されるメニュー品目についての決済情報が印字されない。発行されるレシートには、ステップＳ４０７で選択されたメニュー品目１６４についいてのメニュー品目名及び単価、ステップＳ４１０で算出された決済金額、ステップＳ４１１で入力された預り金額、さらに、算出された釣銭金額等が印字される。このように、途中退席する顧客に対して個別にレシートが発行されるため、顧客にとっての利便性が向上する。また、レシートにはレシート番号が印字される。ここで、ＰＯＳ端末１０４の制御部４０１は、注文ファイル３５１毎にひとつのレシート番号を付与するのではなく、レシート毎にレシート番号を異ならせて付与して印字させる。レシート番号は、例えば、追番で付与する。
【００５２】
次に、ＰＯＳ端末１０４の制御部４０１は、未決済のメニュー品目の有無を判定する（ステップＳ４１４）。つまり、客用表示器１４８の画面１６１に表示されているメニュー品目１６４が全て選択されて決済がなされたことにより、未決済のメニュー品目が無い場合には（ステップＳ４１４のＮ）、ＰＯＳ端末１０４の制御部４０１は、ステップＳ４０３で受信した注文ファイル３５１に含まれるメニューコードによって特定されるメニュー品目の全ての決済が済んだ旨の通知を、ＬＡＮケーブル１０８を介して、オーダステーション１０６に送信する（ステップＳ４１７）。通知を受信したオーダステーション１０６の制御部３０１は、対応する注文ファイル３５１について注文データをクリアする。
【００５３】
一方、客用表示器１４８の画面１６１に表示されているメニュー品目１６４の一部が選択されて決済がなされたことにより、未決済のメニュー品目が有る場合には（ステップＳ４１４のＹ）、次に、ＰＯＳ端末１０４の制御部４０１は、保留操作判定に待機する（ステップＳ４１５）。保留操作は、ＰＯＳ端末１０４の保留キー１４２ｆの押下によってなされる。保留キー１４２ｆの押下は、会計をする顧客が一人の場合になされる。したがって、続けて別の顧客が会計をする場合には、保留キー１４２ｆは押下されない。保留キー１４２ｆが押下されなければ（ステップＳ４１５のＮ）、ＰＯＳ端末１０４の制御部４０１は、再び、注文ファイル３５１に含まれるメニューコードによって特定されるメニュー品目を客用表示器１４８に一覧表示させる（ステップＳ４０６）。このとき、決済が済んでいないメニュー品目のみを一覧表示させる。
【００５４】
保留キー１４２ｆが押下されたならば（ステップＳ４１５のＹ）、ＰＯＳ端末１０４の制御部４０１は、ステップＳ４０３で受信した注文ファイル３５１に含まれるメニューコードによって特定されるメニュー品目の中で、ステップＳ４０７で選択されたメニュー品目について決済が済んだ旨の通知を、ＬＡＮケーブル１０８を介して、オーダステーション１０６に送信する（ステップＳ４１６）。通知を受信したオーダステーション１０６の制御部３０１は、対応する注文ファイル３５１について受信した通知に係るメニュー品目の注文データをクリアする。
【００５５】
次に残りの顧客が会計をする場合について説明する。残りの顧客が会計をする場合についても、図１１のフローチャートと同様の処理がなされる。前述したように、決済が済んでいるメニュー品目についての注文データはクリアされている。そのため、ステップＳ４０３では、ＰＯＳ端末１０４の制御部４０１は、決済が済んでいないメニュー品目についての注文データが記憶されている注文ファイル３５１を受信する。そして、ＰＯＳ端末１０４の制御部４０１は、受信した注文ファイル３５１をＲＡＭ４０５に一時記憶させ（ステップＳ４０４）、ステップＳ４０５からステップＳ４２２までの処理を実行する。
【００５６】
ここで、個別割勘キー１４２ｅが押下された場合には（ステップＳ４０５のＹ）、ＰＯＳ端末１０４の制御部４０１は、注文ファイル３５１に含まれるメニューコードによって特定されるメニュー品目を客用表示器１４８に一覧表示させ（ステップＳ４０６）、任意のメニュー品目１６４を選択する（ステップＳ４０７）。次に、仮締めキー１４２ｂの押下により（ステップＳ４０８のＹ）、選択されたメニュー品目１６４についての決済金額を算出し（ステップＳ４０９）、決済金額を客用表示器１４８に表示する（ステップＳ４１０）。ステップＳ４１１で預り金額が入力された後、締めキー１４２ｃが押下されたならば（ステップＳ４１２のＹ）、算出した決済金額での決済をする（ステップＳ４１３）。そして、未決済のメニュー品目が無い場合には（ステップＳ４１４のＮ）、全てのメニュー品目の決済が済んだ旨の通知をオーダステーション１０６に送信する（ステップＳ４１７）。未決済のメニュー品目が有り（ステップＳ４１４のＹ）、保留キー１４２ｆが押下されなければ（ステップＳ４１５のＮ）、再び、注文ファイル３５１に含まれるメニューコードによって特定されるメニュー品目を客用表示器１４８に一覧表示させる（ステップＳ４０６）。保留キー１４２ｆが押下されたならば（ステップＳ４１５のＹ）、ステップＳ４０７で選択されたメニュー品目について決済が済んだ旨の通知をオーダステーション１０６に送信する（ステップＳ４１６）。
【００５７】
また、個別割勘キー１４２ｅが押下されずに（ステップＳ４０５のＮ）、人数割勘キー１４２ｄが押下された場合には（ステップＳ４１８のＹ）、人数割勘による決済が行われる（ステップＳ４１９）。ＰＯＳ端末１０４の制御部４０１は、ＲＡＭ４０５に一時記憶した注文ファイル３５１のデータに基づいて、合計金額等を算出して決済金額を算出し、テンキー１４２ａの押下により入力された顧客人数で決済金額を割ることにより顧客人数に基づく割勘金額を算出する。割勘金額は客用表示器１４８に表示される。その後、ＰＯＳ端末１０４の制御部４０１は、釣銭金額を算出し、レシートの発行等を実行する。そして、全てのメニュー品目の決済が済んだ旨の通知をオーダステーション１０６に送信して（ステップＳ４２０）、処理を終える。
【００５８】
また、個別割勘キー１４２ｅが押下されずに（ステップＳ４０５のＮ）、人数割勘キー１４２ｄも押下されない場合には（ステップＳ４１８のＮ）、通常の決済が行われる（ステップＳ４２１）。つまり、ＰＯＳ端末１０４の制御部４０１は、ＲＡＭ４０５に一時記憶した注文ファイル３５１のデータに基づいて、合計金額等を算出して決済金額を算出し、釣銭金額を算出し、レシートの発行等を実行する。そして、全てのメニュー品目の決済が済んだ旨の通知をオーダステーション１０６に送信して（ステップＳ４２２）、処理を終える。
【００５９】
このようにして、情報処理部である制御部４０１は、メニューデータファイル４１４を参照して、注文ファイル３５１に記憶されている決済が済んでいないメニュー品目のメニューコードに対応する単価に基づく決済金額を算出し、算出した決済金額での決済をすることになる。
【００６０】
以上説明したように本実施の形態によれば、注文ファイル３５１に含まれるメニューコードによって特定されるメニュー品目の中から任意に選択されたメニュー品目について決済を済ませた後に、決済が済んでいないメニュー品目についての決済をすることができる。そのため、複数人で来店した顧客の内の一人が途中退席するような場合にも、その顧客が自分で飲食したメニュー品目についてだけ会計をして帰ることができる。したがって、途中退席する顧客は代金を残りの顧客に預けたりする必要がなくなり、残りの顧客に気を使うことなくスムーズな途中退席が可能となる。
【図面の簡単な説明】
【００６１】
【図１】オーダエントリシステムの全体構成を概略的に示すシステム構成図である。
【図２】ＰＯＳ端末をオペレータ側から示す斜視図である。
【図３】ＰＯＳ端末を客側から示す斜視図である。
【図４】キーボードを示す模式図である。
【図５】ハンディターミナルの電気的接続を示すブロック図である。
【図６】オーダステーションの電気的接続を示すブロック図である。
【図７】オーダステーションが記憶する注文ファイルのデータ構造の一例を示す模式図である。
【図８】ＰＯＳ端末の電気的接続を示すブロック図である。
【図９】ハンディターミナルが実行するオーダエントリ処理の一例を示すフローチャートである。
【図１０】オーダステーションが実行するオーダエントリ処理の一例を示すフローチャートである。
【図１１】ＰＯＳ端末が実行する会計処理の一例を示すフローチャートである。
【図１２】メニュー品目が一覧表示された状態の客用表示器の画面例を示す模式図である。
【図１３】決済金額が表示された状態の客用表示器の画面例を示す模式図である。
【符号の説明】
【００６２】
１０４…ＰＯＳ端末（商品販売データ処理装置）、１４８…客用表示器（表示部）、１４９…タッチパネル（操作部）、１５１…レシートプリンタ、３５１…注文ファイル、４０１…制御部（情報処理部）、４１４…メニューデータファイル
【図１】
2008287662.tif 000003
【図２】
2008287662.tif 000004
【図３】
2008287662.tif 000005
【図４】
2008287662.tif 000006
【図５】
2008287662.tif 000007
【図６】
2008287662.tif 000008
【図７】
2008287662.tif 000009
【図８】
2008287662.tif 000010
【図９】
2008287662.tif 000011
【図１０】
2008287662.tif 000012
【図１１】
2008287662.tif 000013
【図１２】
2008287662.tif 000014
【図１３】
2008287662.tif 000015